【事件の表示】
　平成１年商標登録願第３４８３３号拒絶査定に対する審判事件について、次のとおり審決する。
【結論】
　本件審判の請求は、成り立たない。
【理由】
１　本願商標
　本願商標は、「Ｐｏｌｏ　Ｃｌｕｂ」の文字を横書きしてなり、第２４類（平成３年政令第２９９号による改正前の商品の区分。以下同じ）「おもちゃ、人形、娯楽用具、運道具、釣り具、楽器、演奏補助品、蓄音機、レコード、これらの部品および付属品」を指定商品として、平成１年３月２８日に登録出願されたものである。
２　原査定の拒絶理由
　原査定は、「本願商標は、その構成中に、アメリカ合衆国ニューヨークに所在するザポロ／ローレン　コンパニーが被服に使用して世界的に著名になっている『Ｐｏｌｏ』の欧文字を有してなるものであるから、これを指定商品について使用するときは、上記会社又はこれと何らかの関係がある者の業務に係る商品とその出所について混同を生ずるおそれがあるものである。したがって、本願商標は商標法第４条第１項第１５号に該当する。」旨認定、判断して、本願を拒絶したものである。
３　当審の判断
（１）引用商標「Ｐｏｌｏ」の周知、著名性について
（株）講談社昭和５３年発行７月２０日発行「男の一流品大図鑑」、サンケイマーケティング昭和５８年９月２８日発行「舶来ブランド事典’８４ザ・ブランド」の記載によれば、以下の事実が認められる。
　アメリカ合衆国在住のデザイナーであるラルフ・ローレンは１９６７年に幅広ネクタイをデザインして注目され、翌１９６８年にポロ・ファッションズ社（以下「ポロ社」という。）を設立、ネクタイ、シャツ、セーター、靴、カバンなどのデザインをはじめ、トータルな展開を図ってきた。１９７１年には婦人服デザインにも進出し、「コティ賞」を１９７０年と１９７３年の２回受賞したのをはじめ、数々の賞を受賞した。１９７４年に映画「華麗なるギャッツビー」の主演俳優ロバート・レッドフォードの衣装デザインを担当したことから、アメリカを代表するデザイナーとしての地位を確立した。その頃からその名前は我が国服飾業界においても知られるようになり、そのデザインに係る一群の商品には、横長四角形中に記載された「Ｐｏｌｏ」の文字と共に「ｂｙ　ＲＡＬＰＨ　ＬＡＵＲＥＮ」の文字及び馬に乗ったポロ競技のプレーヤーの図形の各商標が用いられ、これらは「ポロ」の略称でも呼ばれている。
　そして、（株）洋品界昭和５５年４月発行「海外ファッション・ブランド総覧１９８０年版」「ポ口／Ｐｏｌｏ」の項及びボイス情報（株）昭和５９年９月発行「ライセンス・ビジネスの多角的戦略’８５」の「ポロ・バイ・ラルフ・ローレン」の項の記述及び昭和６３年１０月２９日付け日経流通新聞の記事によれば、我が国においては西武百貨店が昭和５１年にポロ社から使用許諾を受け同５２年からラルフ・ローレンのデザインに係る紳士服、紳士靴、サングラス等の、同５３年から婦人服の輸入、製造、販売を開始したことが認められる。また、ラルフ・ローレンに係る紳士服、紳士用品については、（株）スタイル社１９７１年７月発行「ｄａｎｓｅｎ男子専科」を始め、前記「男の一流品大図鑑」、（株）講談社昭和５４年５月発行「世界の一流品大図鑑’７９年版」、（株）チャネラー昭和５４年９月発行別冊チャネラー「ファッション・ブランド年鑑’８０年版」、「男の一流品大図鑑’８１年版」（昭和５５年１１月発行）、「世界の一流品大図鑑’８０年版」（昭和５５年６月発行）、婦人画報社昭和５５年１２月発行「ＭＥＮ’Ｓ　ＣＬＵＢ１９８０，１２」、「世界の一流品大図鑑’８１年版」（昭和５６年６月発行）、前記「舶来ブランド事典’８４ザ・ブランド」、（株）講談社昭和６０年５月発行「流行ブランド図鑑」のそれぞれにおいて、メガネについては、「世界の一流品大図鑑’８０年版」、「ファッション・ブランド年鑑’８０年版」、「男の一流品大図鑑’８１年版」、「世界の一流品大図鑑’８１年版」のそれぞれにおいて、「ＰＯＬＯ」、「ポロ」、「Ｐｏｌｏ」、「ポロ（アメリカ）」、「ポロ／ラルフ・ローレン（アメリカ）」等の表題の下に紹介されていることが認められる。他に、これを覆すに足りる証拠はない。
　なお、ラルフ・ローレンの「ＰＯＬＯ」、「Ｐｏｌｏ」、「ポロ」の商標について、上記認定事実とほぼ同様の事実を認定した判決（東京高裁平２（行ケ）１８３、平成３．７．１１）がある。
　以上の事実を総合し、上記判決をも併せ考慮すると、引用商標「Ｐｏｌｏ」は、ラルフ・ローレンのデザインに係る被服類及び眼鏡製品等に使用するものとして遅くとも本願の登録出願前までには既に我が国において取引者・需要者間に広く認識され、周知、著名な商標に至っていたものと認められ、その状態は現在においても継続しているというのが相当である。他に、これを覆すに足りる証拠はない。
（２）出所の混同の虞について
　本願商標は、前記構成からなるものであるところ、「Ｐｏｌｏ」、「Ｃｌｕｂ」がそれぞれ既成の意味を有する語であるから、これらの語を結合してなるものであることは明らかであって、「Ｐｏｌｏ」の文字部分が１つの語に吸収されて埋没しているものではなく、かつ、全体として不可分一体の既成の観念を示すものとして一般に認識されているものともいい難いものである。
　この点について、本願商標が「ポロ競技者愛好者の集まり」のような一連の観念を有するとしても、本願商標がかかる意味合いを有するものとして、本願に係る指定商品の需要者、その他一般に知られているものとは認められないから、前示認定を左右するものではない。
　また、近時、周知、著名商標については異業種へわたって広範囲にライセンスが行われている例がみられる。
　そうすると、本件商標は、これをその指定商品「おもちゃ、人形等」に使用した場合には、前記実情からして、これに接する取引者、需要者が、その構成中の「Ｐｏｌｏ」の文字に注目し、前記周知、著名になっている引用商標「Ｐｏｌｏ」を想起し、該商品がラルフ・ローレン又は同人と組織的若しくは経済的に何らかの関係を有する者の業務に係る商品であるかの如く出所の混同を生ずる虞があるものと判断するのが相当である。
（３）請求人の主張について
　請求人は、本願商標は商標法第４条第１項第１５号に該当するものではなく登録されるべきである旨主張し、その理由を以下のように述べ、甲第１号乃至同２６号証を提出しいる。
　▲１▼「Ｐｏｌｏ　Ｃｌｕｂ」は請求人・上野衣料（株）のオリジナルブランドとして、主に被服などアパレル商品として、また、ライセンスブランドとして高い評価を得ている（甲第２号証乃至同第３号証）。そして、「Ｐｏｌｏ　Ｃｌｕｂ」はザポロ／ローレン　コンパニーに係る商標とは別異の商標として周知、著名であり（甲第４号証乃至同第１１号証。）、特許庁の審査においても承認されている（甲第１２号証乃至同第１５号証。）。
　しかしながら、本願商標は第２４類に属する商品を指定するものであって、主として被服に使用する請求人の商標の事情が本願に係る指定商品についての出所の混同の虞に直ちに影響を及ぼすものとは認め難いと言うべきである。
　▲２▼本願商標「Ｐｏｌｏ　Ｃｌｕｂ」の周知、著名性又は引用商標との区別性が、他の異議事件及び審判事件で是認された（甲第１６号証乃至同第２６号証）。
　しかしながら、異議事件及び審判事件（甲第２１号証）はいずれも本願に係る指定商品とは異なる商品又は役務に係るものであり、また、他の審判事件は商標法第５３条第１項の取消審判であり、本件審判とは、適用条文が相違するものであるから、本件審判に適切な例とはならない。
　したがって、請求人の主張はいずれも採用することができないものである。
５　結論
　以上のとおり、本願商標が商標法第４条第１項第１５号に該当するとして本願を拒絶した原査定は、妥当なものであって、これを取り消すべき限りでない。
　よって、結論のとおり審決する。